【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
デバイスであって、
前記デバイスの外部の環境から光を受光するためのレンズ系と、
第１オブジェクトおよび第２オブジェクトを含んだ複数のオブジェクトの各々までの距離を識別するように構成された距離評価回路と、
前記レンズ系の焦点を決定するために前記距離評価回路に連結された選択回路とを備え、前記選択回路は、論理を含み、前記論理は、実行されると、前記デバイスに動作を実行させ、前記動作は、
前記第１オブジェクトが第１の近被写界深度に位置する第１の合焦構成と、第１の絞りとを有するように前記レンズ系を調整することと、
前記複数のオブジェクトのうち、前記第１オブジェクトが前記第１の近被写界深度に位置している間に前記第１の合焦構成および前記第１の絞りによって焦点が合うオブジェクトの第１の数を判断することとを含み、
前記第１の数は、前記第１オブジェクトが前記第１の近被写界深度に位置する間に焦点が合うオブジェクトの数を表し、前記動作はさらに、
前記第２オブジェクトが第２の近被写界深度に位置する第２の合焦構成と、前記第１の絞りとを有するように前記レンズ系を調整することと、
前記複数のオブジェクトのうち、前記第２オブジェクトが前記第２の近被写界深度に位置している間に前記第２の合焦構成および前記第１の絞りによって焦点が合うオブジェクトの第２の数を判断することとを含み、
前記第２の数は、前記第２オブジェクトが前記第２の近被写界深度に位置する間に焦点が合うオブジェクトの数を表し、前記動作はさらに、
いずれの合焦構成がより多くの焦点が合うオブジェクトを提供するかに基づいて、前記第１の合焦構成と前記第２の合焦構成との間でどちらを優先するかを特定するために、前記第１の合焦構成から生じる前記第１の数に基づく第１スコアと、前記第２の合焦構成から生じる前記第２の数に基づく第２スコアとを比較することと、
前記第１スコアと前記第２スコアとの比較に基づいて、いずれの合焦構成がより多くの焦点が合うオブジェクトを提供するかに基づいて前記第１の合焦構成と前記第２の合焦構成との間でどちらを優先するかを示す信号を提供することとを含み、前記デバイスは、さらに、
前記信号に基づいて前記レンズ系を調整するために連結された焦点コントローラと、
前記信号に基づいて前記レンズ系が調整された後に、前記レンズ系を用いて受像した画像を撮像するために光結合されたイメージセンサとを備える、デバイス。
【請求項２】
前記選択回路は、前記デバイスに、前記複数のオブジェクトの各々が近被写界深度からずれている間に焦点が合うオブジェクトの数とは関係なく前記信号を生成させる、請求項１に記載のデバイス。
【請求項３】
前記選択回路は、前記デバイスに、前記レンズ系の１つ以上の他の焦点を決定させ、前記１つ以上の他の焦点の各々は、部分的に、前記第１の絞り以外の絞りによる焦点である、請求項１または２に記載のデバイス。
【請求項４】
前記信号は、前記第１の合焦構成を優先することを示し、前記複数のオブジェクトのうち、前記第１オブジェクトではないオブジェクトがレンズアレイに最も近いオブジェクトである、請求項１〜３のいずれかに記載のデバイス。
【請求項５】
前記選択回路は、前記デバイスに、前記視野におけるオブジェクトの位置に基づいて前記オブジェクトに割り当てられる第１の重み値に基づいて、前記第１スコアを算出させる、請求項１〜４のいずれかに記載のデバイス。
【請求項６】
前記視野における前記オブジェクトの位置は、前記視野の基準点または基準線を基準とした位置である、請求項５に記載のデバイス。
【請求項７】
前記基準点は、前記視野の中心である、請求項６に記載のデバイス。
【請求項８】
前記視野における前記オブジェクトの位置は、前記複数のオブジェクトのうちの別のオブジェクトを基準とした位置である、請求項５〜７のいずれかに記載のデバイス。
【請求項９】
前記第１スコアは、整数以外の数字を含む、請求項５〜８のいずれかに記載のデバイス。
【請求項１０】
前記選択回路は、前記デバイスに、オブジェクトのオブジェクト型に基づいて前記オブジェクトに割り当てられる第１の重み値に基づいて、前記第１スコアを算出させる、請求項１に記載のデバイス。
【請求項１１】
前記オブジェクト型は、人の顔オブジェクト型を含む、請求項１０に記載のデバイス。
【請求項１２】
１つ以上のコンピューターに命令を実行させるプログラムであって、前記命令は、前記１つ以上のコンピューターによって実行されると、前記１つ以上のコンピューターに、方法を実行させ、前記方法は、
レンズ系の視野に存在する、第１オブジェクトおよび第２オブジェクトを含んだ複数のオブジェクトの各々までの距離を識別するステップと、
前記レンズ系の焦点を決定するステップとを含み、前記決定するステップは、
前記第１オブジェクトが第１の近被写界深度に位置する第１の合焦構成と、第１の絞りとを有するように前記レンズ系を調整することと、
前記複数のオブジェクトのうち、前記第１オブジェクトが前記第１の近被写界深度に位置している間に前記第１の合焦構成および前記第１の絞りによって焦点が合うオブジェクトの第１の数を判断することとを含み、
前記第１の数は、前記第１オブジェクトが前記第１の近被写界深度に位置する間に焦点が合うオブジェクトの数を表し、前記決定するステップはさらに、
前記第２オブジェクトが第２の近被写界深度に位置する第２の合焦構成と、前記第１の絞りとを有するように前記レンズ系を調整することと、
前記複数のオブジェクトのうち、前記第２オブジェクトが前記第２の近被写界深度に位置している間に前記第２の合焦構成および前記第１の絞りによって焦点が合うオブジェクトの第２の数を判断することとを含み、
前記第２の数は、前記第２オブジェクトが前記第２の近被写界深度に位置する間に焦点が合うオブジェクトの数を表し、前記決定するステップはさらに、
いずれの合焦構成がより多くの焦点が合うオブジェクトを提供するかに基づいて、前記第１の合焦構成と前記第２の合焦構成との間でどちらを優先するかを特定するために、前記第１の合焦構成から生じる前記第１の数に基づく第１スコアと、前記第２の合焦構成から生じる前記第２の数に基づく第２スコアとを比較することと、
前記第１スコアと前記第２スコアとの比較に基づいて、いずれの合焦構成がより多くの焦点が合うオブジェクトを提供するかに基づいて前記第１の合焦構成と前記第２の合焦構成との間でどちらを優先するかを示す信号を提供することとを含み、前記方法は、さらに、
前記信号に基づいて前記レンズ系を調整するステップと、
前記信号に基づいて前記レンズ系が調整された後に、前記レンズ系を用いて受像した画像を撮像するステップとを含む、プログラム。
【請求項１３】
前記信号は、前記複数のオブジェクトの各々が近被写界深度からずれている間に焦点が合うオブジェクトの数とは関係なく生成される、請求項１２に記載のプログラム。
【請求項１４】
前記方法は、前記レンズ系の１つ以上の他の焦点を決定するステップをさらに含み、前記１つ以上の他の焦点の各々は、部分的に、前記第１の絞り以外の絞りによる焦点である、請求項１２または１３に記載のプログラム。
【請求項１５】
前記信号は、前記第１の合焦構成を優先することを示し、前記複数のオブジェクトのうち、前記第１オブジェクトではないオブジェクトがレンズアレイに最も近いオブジェクトである、請求項１２〜１４のいずれかに記載のプログラム。
【請求項１６】
前記方法は、前記視野におけるオブジェクトの位置に基づいて前記オブジェクトに割り当てられる第１の重み値に基づいて、前記第１スコアを算出するステップをさらに含む、請求項１２〜１５のいずれかに記載のプログラム。
【請求項１７】
前記視野における前記オブジェクトの位置は、前記視野の基準点または基準線を基準とした位置である、請求項１６に記載のプログラム。
【請求項１８】
前記視野における前記オブジェクトの位置は、前記複数のオブジェクトのうちの別のオブジェクトを基準とした位置である、請求項１６または１７に記載のプログラム。
【請求項１９】
方法であって、
レンズ系の視野に存在する、第１オブジェクトおよび第２オブジェクトを含んだ複数のオブジェクトの各々までの距離を識別するステップと、
前記レンズ系の焦点を決定するステップとを含み、前記決定するステップは、
前記第１オブジェクトが第１の近被写界深度に位置する第１の合焦構成と、第１の絞りとを有するように前記レンズ系を調整することと、
前記複数のオブジェクトのうち、前記第１オブジェクトが前記第１の近被写界深度に位置している間に前記第１の合焦構成および前記第１の絞りによって焦点が合うオブジェクトの第１の数を判断することとを含み、
前記第１の数は、前記第１オブジェクトが前記第１の近被写界深度に位置する間に焦点が合うオブジェクトの数を表し、前記決定するステップはさらに、
前記第２オブジェクトが第２の近被写界深度に位置する第２の合焦構成と、前記第１の絞りとを有するように前記レンズ系を調整することと、
前記複数のオブジェクトのうち、前記第２オブジェクトが前記第２の近被写界深度に位置している間に前記第２の合焦構成および前記第１の絞りによって焦点が合うオブジェクトの第２の数を判断することとを含み、
前記第２の数は、前記第２オブジェクトが前記第２の近被写界深度に位置する間に焦点が合うオブジェクトの数を表し、前記決定するステップはさらに、
いずれの合焦構成がより多くの焦点が合うオブジェクトを提供するかに基づいて、前記第１の合焦構成と前記第２の合焦構成との間でどちらを優先するかを特定するために、前記第１の合焦構成から生じる前記第１の数に基づく第１スコアと、前記第２の合焦構成から生じる前記第２の数に基づく第２スコアとを比較することと、
前記第１スコアと前記第２スコアとの比較に基づいて、いずれの合焦構成がより多くの焦点が合うオブジェクトを提供するかに基づいて前記第１の合焦構成と前記第２の合焦構成との間でどちらを優先するかを示す信号を提供することとを含み、前記方法は、さらに、
前記信号に基づいて前記レンズ系を調整するステップと、
前記信号に基づいて前記レンズ系が調整された後に、前記レンズ系を用いて受像した画像を撮像するステップとを含む、方法。
【請求項２０】
前記信号は、前記複数のオブジェクトの各々が近被写界深度からずれている間に焦点が合うオブジェクトの数とは関係なく生成される、請求項１９に記載の方法。
【請求項２１】
前記信号は、前記第１の合焦構成を優先することを示し、前記複数のオブジェクトのうち、前記第１オブジェクトではないオブジェクトがレンズアレイに最も近いオブジェクトである、請求項１９または２０に記載の方法。
【請求項２２】
前記視野におけるオブジェクトの位置に基づいて前記オブジェクトに割り当てられる第１の重み値に基づいて、前記第１スコアを算出するステップをさらに含む、請求項１９〜２１のいずれかに記載の方法。